(57)【要約】【課題】携帯情報端末の設置場所に応じて、ユーザが所望する種類の表示を行うことができるようにする。【解決手段】本発明に係るデータ表示システム１００によれば、ＰＤＡ１は、装着されるスタンド２のスタンドＩＤを認識し、表示設定ファイルにおいて当該スタンドＩＤと対応付けて記憶されている表示データの種類を取得し、サーバ４に、取得された種類の表示データの送信要求を行う。サーバ４から表示データが受信されると、ＰＤＡ１は、表示装置１１に受信された表示データの表示を行う。【選択図】図１
2005122594.tif 000002
【特許請求の範囲】
【請求項１】
各種情報を表示する携帯情報端末と、この端末と通信ネットワークを介して接続される管理装置とを備えたデータ表示システムであって、
前記携帯情報端末に表示させる、前記携帯情報端末の設置場所毎の表示データの種類を任意に設定する設定手段と、
前記設定された表示データの種類を、前記設置場所を識別するための識別データと対応付けて記憶する設定情報記憶手段と、
前記各種類の表示データを記憶する表示データ記憶手段と、
前記設定情報記憶手段において現在の前記携帯情報端末の設置場所に応じた識別データに対応付けて記憶されている種類の表示データを前記表示データ記憶手段から取得する表示データ取得手段と、を備え、
前記取得された表示データを前記携帯情報端末で表示することを特徴とするデータ表示システム。
【請求項２】
各種情報を表示する携帯情報端末と、この端末と任意に接続される複数の接続機と、前記接続機と通信ネットワークを介して接続された管理装置とを備えたデータ表示システムであって、
前記携帯情報端末に表示させる、前記接続機毎の表示データの種類を任意に設定する設定手段と、
前記設定手段により設定された表示データの種類を前記各接続機と対応付けて記憶する設定情報記憶手段と、
前記各種類の表示データを記憶する表示データ記憶手段と、
前記携帯情報端末を前記接続機の何れかに接続した際に、前記設定情報記憶手段においてその接続機に対応付けて記憶されている種類の表示データを前記表示データ記憶手段から取得する表示データ取得手段とを備え、
前記取得された表示データを前記携帯情報端末で表示することを特徴とするデータ表示システム。
【請求項３】
前記設定手段は、前記携帯情報端末で入力して設定し、前記携帯情報端末に備えられた前記設定情報記憶手段に記憶することを特徴とする請求項１又は２に記載のデータ表示システム。
【請求項４】
前記設定手段は、前記携帯情報端末で入力して前記管理装置に設定し、前記管理装置に備えられた前記設定情報記憶手段に記憶することを特徴とする請求項１又は２に記載のデータ表示システム。
【請求項５】
前記表示データ記憶手段は前記管理装置に備えられていることを特徴とする請求項１又は２に記載のデータ表示システム。
【請求項６】
前記設定手段は、前記接続機毎に設定された各表示データの種類に対して、その表示データを表示する日時データを更に設定し、
前記設定情報記憶手段は、前記表示データの種類を前記各接続機及び前記日時データに対応付けて記憶し、
前記取得手段は、前記携帯情報端末を前記接続機の何れかに接続した際に、前記設定情報記憶手段において、その接続機に対応付けて記憶されている種類の表示データの中から現在の日時に表示すべき表示データを前記表示データ記憶手段から取得することを特徴とする請求項２、４又は５に記載のデータ表示システム。
【請求項７】
前記設定手段は、前記設置場所毎に設定された各表示データの種類に対して、その表示データを表示する日時データを更に設定し、
前記設定情報記憶手段は、前記表示データの種類を前記設置場所を識別するための識別データ及び前記日時データに対応付けて記憶し、
前記取得手段は、
前記設定情報記憶手段において、現在の前記携帯情報端末の設置場所に応じた識別データに対応付けて記憶されている種類の表示データの中から現在の日時に表示すべき表示データを前記表示データ記憶手段から取得することを特徴とする請求項１、４又は５に記載のデータ表示システム。
【請求項８】
携帯情報端末を制御するためのコンピュータに、
前記携帯情報端末の設置場所毎に表示データの種類を任意に設定する機能と、
前記設定された表示データの種類を、前記設置場所を識別するための識別データと対応付けて記憶する機能と、
現在の前記携帯情報端末の設置場所に応じた識別データに対応付けて記憶されている種類の表示データを外部から取得する機能と、
前記取得された表示データを表示させる機能と、
を実現させるためのプログラム。
【請求項９】
携帯情報端末を制御するためのコンピュータに、
接続機毎の表示データの種類を任意に設定する機能と、
前記設定された表示データの種類を前記各接続機と対応付けて記憶する機能と、
携帯情報端末を前記接続機の何れかに接続した際に、その接続機に対応付けて記憶されている種類の表示データを外部から取得する機能と、
前記取得された表示データを表示させる機能と、
を実現させるためのプログラム。
【発明の詳細な説明】
【技術分野】
【０００１】
本発明は、携帯情報端末の設置場所に応じた表示を行うことを可能とするためのデータ表示システム及びプログラムに関する。
【背景技術】
【０００２】
例えば、特許文献１には、表示されている地図の表示位置と関連する地域情報を表示し、地図の表示が切換えられた場合には、新しく表示された地図の表示位置と関連する地域情報を表示するシステムが記載されている。
【特許文献１】特開２００２−１８３１５０号公報
【発明の開示】
【発明が解決しようとする課題】
【０００３】
上述した特許文献１においては、地図を切換えることで、地図の表示位置に関連する地域情報を表示することができるが、その表示内容は固定的なものである。そのため、表示する機器や端末の設置場所に応じて任意の種類の表示を行わせることはできなかった。
【０００４】
本発明の課題は、携帯情報端末の設置場所に応じて、ユーザが所望する種類の表示を行うことができるようにすることである。
【課題を解決するための手段】
【０００５】
上記課題を解決するため、請求項１に記載の発明は、各種情報を表示する携帯情報端末と、この端末と通信ネットワークを介して接続される管理装置とを備えたデータ表示システムであって、前記携帯情報端末に表示させる、前記携帯情報端末の設置場所毎の表示データの種類を任意に設定する設定手段と、前記設定された表示データの種類を、前記設置場所を識別するための識別データと対応付けて記憶する設定情報記憶手段と、前記各種類の表示データを記憶する表示データ記憶手段と、前記設定情報記憶手段において現在の前記携帯情報端末の設置場所に応じた識別データに対応付けて記憶されている種類の表示データを前記表示データ記憶手段から取得する表示データ取得手段と、を備え、前記取得された表示データを前記携帯情報端末で表示することを特徴としている。
【０００６】
請求項２に記載の発明は、各種情報を表示する携帯情報端末と、この端末と任意に接続される複数の接続機と、前記接続機と通信ネットワークを介して接続された管理装置とを備えたデータ表示システムであって、前記携帯情報端末に表示させる、前記接続機毎の表示データの種類を任意に設定する設定手段と、前記設定手段により設定された表示データの種類を前記各接続機と対応付けて記憶する設定情報記憶手段と、前記各種類の表示データを記憶する表示データ記憶手段と、前記携帯情報端末を前記接続機の何れかに接続した際に、前記設定情報記憶手段においてその接続機に対応付けて記憶されている種類の表示データを前記表示データ記憶手段から取得する表示データ取得手段とを備え、前記取得された表示データを前記携帯情報端末で表示することを特徴としている。
【０００７】
請求項８に記載の発明は、携帯情報端末を制御するためのコンピュータに、前記携帯情報端末の設置場所毎に表示データの種類を任意に設定する機能と、前記設定された表示データの種類を、前記設置場所を識別するための識別データと対応付けて記憶する機能と、現在の前記携帯情報端末の設置場所に応じた識別データに対応付けて記憶されている種類の表示データを外部から取得する機能と、前記取得された表示データを表示させる機能と、を実現させるためのプログラムであることを特徴としている。
【０００８】
請求項９に記載の発明は、携帯情報端末を制御するためのコンピュータに、接続機毎の表示データの種類を任意に設定する機能と、前記設定された表示データの種類を前記各接続機と対応付けて記憶する機能と、携帯情報端末を前記接続機の何れかに接続した際に、その接続機に対応付けて記憶されている種類の表示データを外部から取得する機能と、前記取得された表示データを表示させる機能と、を実現させるためのプログラムであることを特徴としている。
【発明の効果】
【０００９】
請求項１、８に記載の発明によれば、携帯情報端末の設置場所毎に携帯情報端末に表示させる表示データの種類を任意に設定することができ、携帯情報端末の各設置場所に対して設定された種類の表示データを携帯情報端末で表示させることができる。従って、携帯情報端末の設置場所に適した表示データの種類を予め設定しておくことで、設置場所、環境に最適な表示データを携帯情報端末に表示させることができる。
【００１０】
請求項２、９に記載の発明によれば、携帯情報端末と接続可能な接続機毎の表示データの種類を任意に設定することができ、接続機に携帯情報端末が接続されると、その接続機に対して設定された種類の表示データを携帯情報端末で表示させることができる。従って、携帯情報端末を設置した接続機の設置場所に適した表示データの種類を予め設定しておくことで、設置場所、環境に応じた表示データを携帯情報端末に表示させることができる。
【００１１】
請求項３に記載の発明によれば、携帯情報端末で表示データの種類の設定を行い、携帯情報端末内にその設定データを記憶させることができる。
【００１２】
請求項４に記載の発明によれば、携帯情報端末で表示データの設定入力を行い、管理装置内にその設定データを記憶させることができる。
【００１３】
請求項５に記載の発明によれば、携帯情報端末に接続された管理装置に表示データを記憶させておくことができる。
【００１４】
請求項６に記載の発明によれば、携帯情報端末と接続可能な接続機毎の表示データの種類と、その表示データを表示する日時データを任意に設定することができ、接続機に携帯情報端末が接続されると、その接続機に対して現在の日時に表示するものとして設定された種類の表示データを携帯情報端末で表示させることができる。従って、接続機毎の設置場所、日時に適した表示データの種類を予め設定しておくことで、携帯情報端末を接続機に設置すると、その設置場所、環境、日時に応じた表示データを携帯情報端末に表示させることができる。
【００１５】
請求項７に記載の発明によれば、携帯情報端末の設置場所毎に携帯情報端末に表示させる表示データの種類と、その表示データを表示する日時データを任意に設定することができ、携帯情報端末の各設置場所に対して設定された種類の表示データを設定された日時に携帯情報端末で表示させることができる。従って、携帯情報端末の設置場所、日時に適した表示データの種類を予め設定しておくことで、設置場所、環境、日時に最適な表示データを携帯情報端末に表示させることができる。
【発明を実施するための最良の形態】
【００１６】
(実施形態１）
以下、図を参照して本発明の実施形態１について詳細に説明する。
まず、構成を説明する。
図１に、本発明の実施形態１におけるデータ表示システム１００の全体構成例を示す。図１に示すように、データ表示システム１００は、ＰＤＡ（Personal Digital Assistance；携帯情報端末）１、ＰＤＡ１を接続制御装置３に接続するための複数の接続機（以下、スタンドと称する）２、モデム、ルータ、ハブ等により構成され、スタンド２に装着されたＰＤＡ１をネットワークＮに接続するための接続制御装置３、ネットワークＮに接続された管理装置（以下、サーバと称する）４を備えており、ネットワークＮを介して接続機２に装着されたＰＤＡ１とサーバ４がデータ送受信可能なように構成されている。各装置の台数は、特に限定されない。
【００１７】
ＰＤＡ１は、スタンド２の何れかに装着されると、そのスタンド２を識別するために予め付されている識別情報（以下、この識別情報をスタンドＩＤとして説明する）を認識し、当該スタンド２に応じた表示データをサーバ４から取得して表示する。ＰＤＡ１の内部構成については、後述する（図２参照）。
【００１８】
スタンド２は、ＰＤＡ１を載置してスタンド２に装着するための載置台、ＰＤＡ１と接続するためのコネクタ、ＰＤＡ１と接続制御装置３間でデータを伝送するためのケーブル等を備えて構成されている。スタンド２は、ＰＤＡ１の充電機能等を備えるものであってもよい。本実施形態において、スタンド２は、それぞれリビング、寝室、キッチン、玄関等、家屋内の各所に設置されており、各スタンド２には、それぞれを識別するためのスタンドＩＤが付されている。
【００１９】
接続制御装置３は、上述したように、モデム、ルータ、ハブ等により構成され、スタンド２に装着されたＰＤＡ１をネットワークＮに接続し、スタンド２に装着されたＰＤＡ１とネットワークＮ上のサーバ４を始めとする装置とのデータの送受信を制御する。
【００２０】
サーバ４は、ＰＤＡ１に表示するための表示データを供給するサーバであり、ＰＤＡ１から表示データの送信要求を受信すると、要求された種類の表示データを表示データ格納部４１１から読み出して、ＰＤＡ１に送信する。また、サーバ４は、所定時間ごとに表示データの内容を更新する。サーバ４の内部構成については、後述する（図４参照）。
【００２１】
ネットワークＮは、専用線や既存の一般公衆回線を利用して構築された通信ネットワークであり、ＬＡＮ（Local Area Network）やＷＡＮ（Wide Area Network）等の様々な回線形態を適用することが可能である。ネットワークＮには、例えば、電話回線網、ＩＳＤＮ（Integrated Services Digital Network）回線網、専用線、移動体通信網、通信衛星回線、ＣＡＴＶ（Community Antenna Television）回線網等の各種通信回線網と、それらを接続するインターネットサービスプロバイダ等が含まれる。
【００２２】
図２に、本発明に係るＰＤＡ１の機能的構成例を示す。以下、図２を参照して、ＰＤＡ１の内部構成について詳細に説明する。
ＰＤＡ１は、図２に示すように、ＣＰＵ（Central Processing Unit）１０、表示装置１１、入力装置１２、通信装置１３、ＲＡＭ（Random Access Memory）１４、記録装置１５、コネクタ１６等により構成され、各部はバス１７により接続されている。
【００２３】
ＣＰＵ１０は、記録装置１５に記憶されているシステムプログラムを読み出し、ＲＡＭ１４内に形成されたワークエリアに展開し、該システムプログラムに従って各部を制御する。また、ＣＰＵ１０は、記録装置１５に記憶されている各種処理プログラム、アプリケーションプログラムを読み出してワークエリアに展開し、後述する表示設定処理Ａ、表示制御処理Ａを始めとする各種処理を実行する。
【００２４】
表示装置１１は、ＬＣＤ（Liquid Crystal Display）等の表示画面を備え、ＣＰＵ１０から入力される表示信号に従って表示データの表示を行う。
【００２５】
入力装置１２は、テンキー、カーソルキー、電源ＯＮ／ＯＦＦキー、各種ファンクションキー等を有し、キーの押下信号による操作信号をＣＰＵ１０に出力する。また、入力装置１２は、表示装置１１の表示画面上を覆うように重畳して設けられたタッチパネルを有し、電磁誘導式、磁気歪式、感圧式等の座標読み取り原理で、専用のペンによってタップされた座標を検出し、検出した座標を位置信号としてＣＰＵ１０に出力する。更に、入力装置１２は、ＣＰＵ１０において当該ＰＤＡ１が装着されるスタンド２を識別するために、スタンド２に応じてスタンドＩＤを切換え可能なスタンドＩＤ切換スイッチを有する。
【００２６】
通信装置１３は、外部の装置とデータの送受信を行うためのインターフェースである。
【００２７】
ＲＡＭ１４は、ＣＰＵ１０により実行される各種プログラムをプログラム格納エリアに展開する。また、ＲＡＭ１４は、入力データ及びプログラムの実行時に生じる処理結果等のデータを、ワークエリアに一時的に格納する。更に、ＲＡＭ１４は、サーバ４から受信された表示データを一時的に格納する表示データ格納エリアを有する。
【００２８】
記録装置１５は、ＰＤＡ１に対応するシステムプログラム、表示設定処理Ａプログラム、表示制御処理Ａプログラムを始めとする各種処理プログラム、アプリケーションプログラム、データ等が予め記憶されている記録媒体を有している。この記録媒体は、磁気的、光学的記録媒体又は半導体等の不揮発性メモリで構成されており、記録装置１５に固定的に設けたもの又は着脱自在に装着するものである。
【００２９】
また、記録装置１５は、入力装置１２から入力された表示設定内容を、表示設定ファイル１５１として記憶する。図３に、表示設定ファイル１５１のデータ格納例を示す。図３に示すように、表示設定ファイル１５１は、スタンド２を一意的に識別するためのスタンドＩＤを示すデータ（例えば、０１、０２、０３、・・・）と、そのスタンドＩＤを有するスタンド２が設置されている設置場所を示すデータ（例えば、リビング、寝室、キッチン、・・・）と、そのスタンドＩＤを有するスタンド２で表示する表示データの種類（内容）を示すデータ（例えば、ニュース、天気予報、ＴＶ番組表、・・・）とを対応付けて記憶している。
【００３０】
コネクタ１６は、ＰＤＡ１とスタンド２とを接続する接続端子であり、ＰＤＡ１とスタンド２とのデータの入出力を行う。
【００３１】
図４に、本発明に係るサーバ４の機能的構成例を示す。以下、図４を参照して、サーバ４の内部構成について詳細に説明する。
サーバ４は、図４に示すように、ＣＰＵ４０、記録装置４１、ＲＡＭ４２、通信装置４３等により構成され、各部はバス４４により接続されている。
【００３２】
ＣＰＵ４０は、記録装置４１に記憶されているシステムプログラムを読み出し、ＲＡＭ４２内に形成されたワークエリアに展開し、該システムプログラムに従ってサーバ４の各部を制御する。また、ＣＰＵ４０は、記録装置４１に記憶されている各種処理プログラムを読み出してワークエリアに展開し、後述する表示データ送信処理Ａを始めとする各種処理を実行する。
【００３３】
記録装置４１は、サーバ４に対応するシステムプログラム、各種処理プログラム、各種データ等が予め記憶されており、この記録装置４１は、磁気的、光学的記録媒体、若しくは半導体メモリなどＣＰＵ４０で読取り可能な記録媒体を含んだ構成である。この記録媒体はＣＤ-ＲＯＭ（Compact Disc Read Only Memory）、メモリカード等の可搬型の媒体やハードディスク等の固定的な媒体を含む。また、記録媒体に格納するプログラム、データ等の一部若しくは全部をサーバやクライアントからＷＡＮ、ＬＡＮなどのネットワーク回線を介して受信する構成にしてもよく、更に、記録媒体はネットワーク回線上に構築された他のサーバやクライアントの記録媒体であってもよい。
【００３４】
記録装置４１は、表示データ格納部４１１を有しており、ＰＤＡ１に表示するための各種表示データを記憶している。
【００３５】
ＲＡＭ４２は、ＣＰＵ４０により実行されるシステムプログラム、各種処理プログラム、各処理において処理中のデータ、処理結果などを一時的に記憶するワークエリアを形成する。
【００３６】
通信装置４３は、ネットワークインターフェースカード、モデム、ＴＡ(Terminal Adapter）、ルータ等により構成され、ネットワークＮ上のＰＤＡ１を始めとする外部機器と各種情報の送受信を行う。
【００３７】
次に、実施形態１における動作を説明する。
まず、図５を参照して、ＰＤＡ１の入力装置１２により設定モードへの移行が指示された際に、ＣＰＵ１０により実行される表示設定処理Ａについて説明する。
【００３８】
入力装置１２により、表示設定が指示され（ステップＳ１０１）、任意のスタンドＩＤに対して、このスタンドＩＤを有するスタンド２の設置場所及びこのスタンド２に装着されたＰＤＡ１に表示させる表示データの種類が指定されると（ステップＳ１０２）、指定された設置場所及び表示データの種類がスタンドＩＤと対応付けて表示設定ファイル１５１に記憶される（ステップＳ１０３）。次の表示データの設定がある場合は（ステップＳ１０４；ＹＥＳ）、処理はステップＳ１０２に戻り、ステップＳ１０２〜１０３が繰り返し実行される。次の表示データの設定がなければ（ステップＳ１０４；ＮＯ）、本処理は終了する。
【００３９】
上記表示データ設定処理Ａにより、各スタンド２のスタンド毎に、その設置場所及び装着されたＰＤＡ１に表示させる表示データの種類を設定することができる。
【００４０】
次に、図６を参照して、ＰＤＡ１が任意のスタンド２に装着されることにより、ＣＰＵ１０において実行される表示制御処理Ａについて説明する。なお、ＰＤＡ１のスタンド切換スイッチは、スタンド２への装着前に、装着するスタンド２に応じたスタンドＩＤへ切換操作されている。
【００４１】
まず、当該ＰＤＡ１が装着されたスタンド２のスタンドＩＤが認識され（ステップＳ１１１）、表示設定ファイル１５１から、認識されたスタンドＩＤに対応付けられている表示データの種類が取得される（ステップＳ１１２）。次いで、スタンド２、接続制御装置３を介してネットワークＮ上のサーバ４に接続され（ステップＳ１１３）、サーバ４に表示データの種類を送信することにより、表示データの送信要求が行われる（ステップＳ１１４）。
【００４２】
サーバ４からの表示データが受信されると（ステップＳ１１５；ＹＥＳ）、この表示データが取得されてＲＡＭ１４に記憶される（ステップＳ１１６）。次いで、スタンドＩＤに対して複数の表示データの種類が設定されているか否かが判断され（ステップＳ１１７）、複数の表示データの種類が設定されていない場合には（ステップＳ１１７；ＮＯ）、ＲＡＭ１４に記憶された表示データが表示装置１１に表示される（ステップＳ１１８）。一方、複数の表示データの種類が設定されている場合には（ステップＳ１１７；ＹＥＳ）、ＲＡＭ１４に記憶された複数の表示データが一定時間毎に切換えられて表示装置１１に表示される（ステップＳ１１８）。スタンド２に装着されている間は（ステップＳ１２０；ＹＥＳ）、ステップＳ１１７〜１１９の該当する処理が繰り返し実行され、スタンド２から取り外された場合には（ステップＳ１２０；ＮＯ）、本処理は終了する。
【００４３】
次に、図７を参照して、サーバ４のＣＰＵ４０により実行される表示データ送信処理Ａについて説明する。この表示データ送信処理Ａは、一定時間毎に割り込み処理されるものである。
【００４４】
一定時間毎に、ＰＤＡ１から表示データの送信要求が受信されているか否かが判断され（ステップＳ４０１）、表示データの送信要求が受信されている場合には（ステップＳ４０１；ＹＥＳ）、送信要求されている種類の表示データが表示データ格納部４１１から読み出され（ステップＳ４０２）、この送信要求の送信元であるＰＤＡ１に読み出された表示データが送信される（ステップＳ４０３）。複数種類の表示データが要求されている場合には、全ての種類のデータを読み出してＰＤＡ１へ送信する。
【００４５】
以上説明したように、データ表示システム１００によれば、ＰＤＡ１は、装着されるスタンド２のスタンドＩＤを認識し、表示設定ファイル１５１において当該スタンドＩＤと対応付けて記憶されている表示データの種類を取得し、サーバ４に、取得された種類の表示データの送信要求を行う。サーバ４から表示データが受信されると、ＰＤＡ１は、表示装置１１に受信された表示データの表示を行う。
【００４６】
従って、各スタンド２に設定された種類の表示データをＰＤＡ１に表示することができるので、各スタンド２に設置場所に適した表示データを予め設定しておくことにより、設置場所・環境に最適な表示データをＰＤＡ１に表示することができる。また、各設置場所における表示内容を管理することができる。
【００４７】
なお、上記実施形態１における記述内容は好適な一例であり、これに限定されるものではない。
例えば、上記実施形態１においては、表示設定ファイル１５１をＰＤＡ１の記録装置１５に記憶させることとしたが、設定された内容をサーバ４に送信し、サーバ４の記録装置４１に格納させるようにしてもよい。また、サーバ４とは別のサーバの記録装置に格納し、管理するようにしてもよい。表示データについても、別のサーバの記録装置に格納し、管理するようにしてもよい。
【００４８】
また、スタンド２の設置場所等に応じた表示データをＰＤＡ１で取得して表示することとしたが、表示データに応じた音声データを併せて取得して出力する構成としてもよい。また、表示データは、静止画であっても動画であってもよい。
【００４９】
また、スタンド２の設置位置と組み合わせて、季節、温度、天候などの条件に応じた種類の表示データをＰＤＡ１に表示させることもできる。
【００５０】
また、上記実施形態１においては、スタンド２に一意的なスタンドＩＤを付して、スタンドＩＤ毎に設置場所及び表示するデータの種類を設定して、スタンド２の設置場所に応じた表示を行うことを可能としたが、例えば、寝室でリビングと同じ種類の表示データを表示させたい場合等、異なるスタンドで同じ種類の表示をさせたい場合は、スタンド切換ボタンで表示させたい種類のデータが設定されているスタンドＩＤに切換えることにより、所望のデータを表示させることができる。
【００５１】
また、スタンド２が一つしかない場合は、スタンド切換ボタンで、表示させたい表示データの種類が設定されているスタンドＩＤに切換えることにより、複数種類の表示データを閲覧することが可能となる。
【００５２】
その他、データ表示システム１００を構成する各装置の細部構成及び細部動作に関しても、本発明の趣旨を逸脱することのない範囲で適宜変更可能である。
【００５３】
（実施形態２）
以下、図を参照して本発明の実施形態２について説明する。
まず、構成を説明する。
本実施形態におけるデータ表示システム１００の全体構成は、図１で説明したのと同様であるので説明を省略する。また、データ表示システム１００を構成する各装置についても、実施形態１で説明したのとほぼ同様であるので、相違点のみを以下に説明する。
【００５４】
スタンド２は、例えば、スーパーマーケットにある複数の商品の陳列棚毎（例えば、肉の陳列棚、魚の陳列棚、野菜の陳列棚、等）にそれぞれ設置されている。各スタンド２には、それぞれを識別するための識別情報（以下、この識別情報をスタンドＩＤとして説明する）が付されている。
【００５５】
サーバ４の記録装置４１は、ＰＤＡ１から送信された表示設定情報を記憶する、表示設定ファイル４１２（図示せず）を有している。この表示設定ファイル４１２は、ＰＤＡ１が複数ある場合は、各ＰＤＡ１毎に作成されるものである。図８に、表示設定ファイル４１２のデータ格納例を示す。図８に示すように、表示設定ファイル４１２は、スタンド２を一意的に識別するためのスタンドＩＤを示すデータ（例えば、０１、０２、０３、・・・）と、そのスタンドＩＤを有するスタンド２が設置されている設置場所を示すデータ（例えば、陳列棚Ａ（肉）、陳列棚Ｂ（魚）、陳列棚Ｃ（野菜）、・・・）と、そのスタンドＩＤを有するスタンド２で表示する表示データの内容を示すデータ（例えば、タイムサービス販売情報、惣菜パック販売情報、クリスマスフェア情報、・・・）と、各表示データを表示する表示時刻を示す日時データ（例えば、毎日午後４時、毎週月〜金午後７時、２００２年１２月２４日終日、・・・）とを対応付けて記憶している。
【００５６】
次に、実施形態２の動作について説明する。
まず、図９を参照して、ＰＤＡ１が任意のスタンド２に装着されることにより、ＣＰＵ１０において実行される表示制御処理Ｂについて説明する。なお、ＰＤＡ１のスタンド切換スイッチは、スタンド２への装着前に、装着するスタンド２に応じたスタンドＩＤへ切換操作されている。
【００５７】
また、本処理に先立って、ＰＤＡ１のＣＰＵ１０により、表示設定処理Ｂが行われる。即ち、入力装置１２により、表示設定が指示され、任意のスタンドＩＤに対して、このスタンドＩＤを有するスタンド２の設置場所、このスタンド２に装着されたＰＤＡ１に表示させる表示データの種類、各表示データの表示時刻の日時データが指定されると、指定された設置場所、表示データの種類、日時データをスタンドＩＤと対応付けて、ＲＡＭ１４に一時的に記憶し、全ての設定が終了すると、設定された表示設定情報をサーバ４へ送信する。サーバ４においては、ＰＤＡ１からの表示設定情報が受信されると、受信された内容を記録装置４１の表示設定ファイル４１２に記憶する。
【００５８】
以下、表示制御処理Ｂについて説明する。
まず、当該ＰＤＡ１が装着されたスタンド２のスタンドＩＤが認識され（ステップＳ１３１）、スタンド２、接続制御装置３を介してネットワークＮ上のサーバ４に接続され（ステップＳ１３２）、サーバ４にスタンドＩＤを送信することにより、表示データの送信要求が行われる（ステップＳ１３３）。
【００５９】
サーバ４からの表示データが受信されると（ステップＳ１３４；ＹＥＳ）、この表示データが取得されてＲＡＭ１４の表示データ格納エリアに上書き記憶され（ステップＳ１３５）、記憶された表示データが表示装置１１に表示される（ステップＳ１３６）。表示データが受信されない場合は（ステップＳ１３４；ＮＯ）、表示データ格納エリアに記憶されている表示データが表示装置１１に表示される。
【００６０】
ＰＤＡ１がスタンド２に装着されている間は（ステップＳ１３７；ＹＥＳ）、ステップＳ１３３〜１３７の該当する処理が繰り返し実行され、スタンド２から取り外された場合には（ステップＳ１３７；ＮＯ）、ＲＡＭ１４の表示データ格納エリアのデータがクリアされ（ステップＳ１３８）、本処理は終了する。
【００６１】
次に、図１０を参照して、サーバ４のＣＰＵ４０により実行される表示データ送信処理Ｂについて説明する。この表示データ送信処理Ｂは、一定時間毎に割り込み処理されるものである。
【００６２】
一定時間毎に、ＰＤＡ１から表示データの送信要求が受信されているか否かが判断され（ステップＳ４１１）、表示データの送信要求が受信されている場合には（ステップＳ４１１；ＹＥＳ）、そのＰＤＡ１の表示設定ファイル４１２の日時データが一つずつ参照される（ステップＳ４１２）。参照された日時データが現在の日時と一致しない場合は（ステップＳ４１３；ＮＯ）、処理はステップＳ４１５へ移行する。参照された日時データが現在の日時と一致した場合（ステップＳ４１３；ＹＥＳ）、表示データ格納部４１１から、現在の日時と日時データが一致している表示データが取得されてＲＡＭ４２に記憶され（ステップＳ４１４）、処理はステップＳ４１５に移行する。
【００６３】
ステップＳ４１５において、表示設定ファイル４１２の全ての日時データの参照が終了したか否かが判断され、終了していない場合（ステップＳ４１５；ＮＯ）、処理はステップＳ４１３に戻り、各日時データについて、ステップＳ４１３〜Ｓ４１４が繰り返し実行される。全ての日時データの参照が終了し（ステップＳ４１５；ＹＥＳ）、ＲＡＭ４２に記憶された表示データがある場合には（ステップＳ４１６；ＹＥＳ）、通信装置４３により、要求したＰＤＡ１へ表示データが送信される（ステップＳ４１７）。
【００６４】
以上説明したように、データ表示システム１００によれば、ＰＤＡ１は、スタンド２に装着されると、スタンド２のスタンドＩＤを認識し、サーバ４にスタンドＩＤを送信して表示データの送信要求を行う。サーバ４は、ＰＤＡ１から表示データの送信要求を受信すると、要求元のＰＤＡ１に対しての表示設定ファイル４１２の各日時データを参照し、現在の日時と一致している場合には、対応する表示データを表示データ格納部４１１から取得してＲＡＭ４２に記憶し、送信要求をしたＰＤＡ１に、ＲＡＭ４２に記憶された表示データを送信する。サーバ４から表示データが受信されると、ＰＤＡ１は、表示装置１１に受信された表示データの表示を行う。
【００６５】
従って、各スタンド２に設定された種類の表示データを、設定された日時にＰＤＡ１に表示することができるので、各スタンド２に設置場所に適した表示データ及び表示日時を予め設定しておくことにより、設置場所・環境・日時に最適な表示データをＰＤＡ１に表示することができる。また、各設置場所、日時における表示内容を管理することができる。
【００６６】
なお、上記実施形態２における記述内容は好適な一例であり、これに限定されるものではない。
例えば、上記実施形態２においては、表示設定ファイル４１２をサーバ４の記録装置４１に格納することとしたが、ネットワークＮに接続された別のサーバの記録装置に格納するようにしてもよい。また、表示データについても、別のサーバの記録装置に格納し、管理するようにしてもよい。
【００６７】
また、各ＰＤＡ１についての表示設定は、各ＰＤＡ１から行うこととしたが、ネットワークＮに接続されたＰＣ（Personal Computer）等から入力するようにしてもよい。
【００６８】
また、スタンド２の設置場所等に応じた表示データをＰＤＡ１で取得して表示することとしたが、表示データに応じた音声データを併せて取得して出力する構成としてもよい。また、表示データは、静止画であっても動画であってもよい。
【００６９】
また、スタンド２の設置位置と組み合わせて、季節、温度、天候などの条件に応じた種類の表示データをＰＤＡ１に表示させることもできる。
【００７０】
その他、データ表示システム１００を構成する各装置の細部構成及び細部動作に関しても、本発明の趣旨を逸脱することのない範囲で適宜変更可能である。
【図面の簡単な説明】
【００７１】
【図１】本発明の実施形態１におけるデータ表示システム１００の全体構成を示す概念図である。
【図２】図１のＰＤＡ１の機能的構成を示すブロック図である。
【図３】図１の記録装置１５に記録される表示設定ファイル１５１のデータ格納例を示す図である。
【図４】図１のサーバ４の機能的構成を示すブロック図である。
【図５】図１のＣＰＵ１０により実行される表示設定処理Ａを示すフローチャートである。
【図６】図４のＣＰＵ４０により実行される表示制御処理Ａを示すフローチャートである。
【図７】図１のＣＰＵ１０により実行される表示データ送信処理Ａを示すフローチャートである。
【図８】図４の記録装置４１に記録される表示設定ファイル４１２のデータ格納例を示す図である。
【図９】図１のＣＰＵ１０により実行される表示制御処理Ｂを示すフローチャートである。
【図１０】図４のＣＰＵ４０により実行される表示データ送信処理Ｂを示すフローチャートである。
【符号の説明】
【００７２】
１００  データ表示システム
１  ＰＤＡ
２  スタンド（接続機）
３  接続制御装置
４  サーバ（管理装置）
１０    ＣＰＵ
１１  表示装置
１２  入力装置
１３  通信装置
１４  ＲＡＭ
１５  記録装置
１５１  表示設定ファイル
１６  コネクタ
１７  バス
４０  ＣＰＵ
４１  記録装置
４１１  表示データ格納部
４２  ＲＡＭ
４３  通信装置
４４  バス
【図１】
2005122594.tif 000003
【図２】
2005122594.tif 000004
【図３】
2005122594.tif 000005
【図４】
2005122594.tif 000006
【図５】
2005122594.tif 000007
【図６】
2005122594.tif 000008
【図７】
2005122594.tif 000009
【図８】
2005122594.tif 000010
【図９】
2005122594.tif 000011
【図１０】
2005122594.tif 000012